(57)【特許請求の範囲】
【請求項１】
第１の電源プラグと、該第１の電源プラグを介して電力線に電力線搬送通信用の伝送信号を送信する第１の通信部と、前記電力線から電力供給が行われていないことを検知した際に前記第１の通信部に動作電源を与える補助電源部とを備える操作装置、及び第２の電源プラグと、該第２の電源プラグを介して前記電力線に接続されるとともに、制御対象の機器が接続されるコンセント口と、前記第２の電源プラグと前記コンセント口との間に設けられた伝送信号用のバイパス部と、前記第１の通信部から前記電力線に送信された伝送信号を受信する第２の通信部と、第２の通信部で受信した前記伝送信号の内容に応じて前記電力線から前記コンセント口に接続された前記制御対象の機器への電力供給を制御し、前記第２の通信部で受信した前記伝送信号の内容によって前記電力線から前記操作装置への電力供給が行われていないことを検知した際には、前記制御対象の機器への電力供給をオフする電力制御部とを備える機器接続装置を具備し、
前記第１の通信部は、前記補助電源部により動作電源が与えられた際に機器オフ用の伝送信号を前記電力線に送信する機能を有し、前記電力制御部は、前記第２の通信部が前記機器オフ用の伝送信号を受信すると前記制御対象の機器への電力供給をオフする機能を有していることを特徴とするコンセント制御システム。
【請求項２】
前記操作装置の前記第１の電源プラグを電力線に設けられたコンセント装置に接続するとともに、前記操作装置と通信を行う前記機器接続装置の前記第２の電源プラグを前記電力線に設けられたコンセント装置に接続し、且つ、前記機器接続装置のコンセント口に、少なくとも１つの別の操作装置の第１の電源プラグを接続するとともに、前記別の操作装置と通信を行う少なくとも１つの別の機器接続装置の第２の電源プラグを前記電力線のコンセント装置に接続していることを特徴とする請求項１に記載のコンセント制御システム。
【発明の詳細な説明】
【技術分野】
【０００１】
本発明は、コンセント制御システム、特に電力線搬送通信により遠隔制御を行うコンセント制御システムに関する。
【背景技術】
【０００２】
従来から、遠隔制御（リモートコントロール）によって、機器への電力供給をオン又はオフすることが可能なコンセント制御システムが提供されており、このようなコンセント制御システムでは、赤外線通信や、電話回線を利用したＡＤＳＬ等を用いて遠隔制御を行うものが数多く提供されている。
【０００３】
しかしながら、ＡＤＳＬ等を用いる場合、ＡＤＳＬ等を新しく導入するためには、新規配線のための工事や、取り出し口を設けたりする工事が必要となり、また、電話のジャック口があるところに機器を置かなくてはならず、機器を置く場所が非常に制限されるという不便さがあった。
【０００４】
一方、近年では、上記のような赤外線通信やＡＤＳＬ等を用いるものに対し、電力線搬送通信（Power Line Communication、以下「ＰＬＣ」と略す）によりテーブルタップの遠隔制御を行うコンセント制御システムが提供されており（例えば、特許文献１）、ＰＬＣを用いたコンセント制御システムでは、次のような利点があった。
【０００５】
すなわち、ＰＬＣは、商用交流電源（一般に、１００Ｖ、５０／６０Ｈｚ）の電力線に高周波信号を重畳し、電力線を伝送路として双方向の通信を行うものであるから、既存の電灯引込線・コンセントがそのまま利用でき、これにより光ファイバやＡＤＳＬ等のブロードバンドを新しく導入するときに必要となる、新規配線のための工事や、取り出し口を設けたりする工事が一切不要になり、またコンセントのあるところならどこででも情報通信ができるから、ＡＤＳＬのように電話のジャック口があるところに機器を置いたりする必要が無くなり、機器を置く場所に制約がなくなるという利点があった。
【特許文献１】特開２００２−７５５６２号公報（第１図、及び第３図）
【発明の開示】
【発明が解決しようとする課題】
【０００６】
しかしながら、従来のコンセント制御システムでは、操作装置側に電源が供給されなくなると接続機器装置に対して制御信号を伝送することができず、そのためこの場合には接続機器装置の動作を制御することができなかった。
【０００７】
本発明は上述の点に鑑みて為されたもので、その目的は、操作装置に電源が供給されなくなった場合でも接続機器装置の動作を制御できるコンセント制御システムを提供することにある。
【課題を解決するための手段】
【０００８】
上記の課題を解決するために、請求項１のコンセント制御システムの発明では、第１の電源プラグと、該第１の電源プラグを介して電力線に電力線搬送通信用の伝送信号を送信する第１の通信部と、前記電力線から電力供給が行われていないことを検知した際に前記第１の通信部に動作電源を与える補助電源部とを備える操作装置、及び第２の電源プラグと、該第２の電源プラグを介して前記電力線に接続されるとともに、制御対象の機器が接続されるコンセント口と、前記第２の電源プラグと前記コンセント口との間に設けられた伝送信号用のバイパス部と、前記第１の通信部から前記電力線に送信された伝送信号を受信する第２の通信部と、第２の通信部で受信した前記伝送信号の内容に応じて前記電力線から前記コンセント口に接続された前記制御対象の機器への電力供給を制御し、前記第２の通信部で受信した前記伝送信号の内容によって前記電力線から前記操作装置への電力供給が行われていないことを検知した際には、前記制御対象の機器への電力供給をオフする電力制御部とを備える機器接続装置を具備し、前記第１の通信部は、前記補助電源部により動作電源が与えられた際に機器オフ用の伝送信号を前記電力線に送信する機能を有し、前記電力制御部は、前記第２の通信部が前記機器オフ用の伝送信号を受信すると前記制御対象の機器への電力供給をオフする機能を有していることを特徴とする。
【０００９】
請求項２のコンセント制御システムの発明では、請求項１の構成に加えて、前記操作装置の前記第１の電源プラグを電力線に設けられたコンセント装置に接続するとともに、前記操作装置と通信を行う前記機器接続装置の前記第２の電源プラグを前記電力線に設けられたコンセント装置に接続し、且つ、前記機器接続装置のコンセント口に、少なくとも１つの別の操作装置の第１の電源プラグを接続するとともに、前記別の操作装置と通信を行う少なくとも１つの別の機器接続装置の第２の電源プラグを前記電力線のコンセント装置に接続していることを特徴とする。
【発明の効果】
【００１４】
本発明は、操作装置の第１の電源プラグと機器接続装置の第２の電源プラグとをそれぞれ電力線に設けられたコンセント装置に接続するだけでコンセント制御システムの設置を行うことができ、これによりアドレス設定等の煩雑な作業が必要無くなって専門的な知識を有していない一般の使用者であっても、コンセント制御システムを簡単に設置することができるという効果を奏する。
【００１５】
また、本発明は、例えば操作装置の第１の電源プラグを電力線に設けられたコンセント装置に接続し、前記操作装置と通信を行う機器接続装置の第２の電源プラグを電力線に設けられた別のコンセント装置に接続し、前記機器接続装置のコンセント口に別の操作装置の第１の電源プラグを接続し、前記別の操作装置と通信を行う別の機器接続装置の第２の電源プラグを電力線に設けられたさらに別のコンセント装置に接続すれば、前記操作装置によって前記機器接続装置をオフした際に、前記別の操作装置への電力供給が行われなくなって前記別の機器接続装置もオフされることになるから、前記操作装置によって前記機器接続装置と前記別の機器接続装置とを一括してオフすることが可能となり、これによりアドレス設定等の煩雑な作業を行わなくても、操作装置及び機器接続装置の電源プラグの接続を行うだけで、１対Ｎ（Ｎ＝２，３，４，…）対応のコンセント制御システムを簡単に設置できるという効果を奏する。
【発明を実施するための最良の形態】
【００１６】
（実施形態１）
本実施形態のコンセント制御システムは、図１に示すように、例えば電力線ＰＬに設けられたコンセント装置３Ｂに接続されて、照明機器や、空調機器、ＡＶ機器等の様々な制御対象の機器（以下、単に「機器」と称する）に電力線ＰＬより電力供給を行う機器接続装置であるテーブルタップ２Ａと、電力線ＰＬに設けられたコンセント装置３Ａに接続されることで電力線ＰＬを介してテーブルタップ２Ａに電気的に接続され、ＰＬＣによってテーブルタップ２Ａを遠隔制御するための操作装置であるリモートコントローラ（以下、「リモコン」と略す）１Ａとを有している。
【００１７】
まず、リモコン１Ａについて説明する。リモコン１Ａは、図１に示すように、電力線ＰＬに設けられたコンセント装置３Ａ〜３Ｄに接続可能な第１の電源プラグ１０と、該第１の電源プラグ１０を介して電力線ＰＬにＰＬＣ用の伝送信号（通信パケット）を送信する第１の通信部１１と、第１の通信部１１を制御する通信制御部１２と、電力線ＰＬからリモコン１Ａへの電力供給が行われているか否かを検出する電力検出部１３と、電力線ＰＬからリモコン１Ａへの電力供給が行われていないことを検知した際に、第１の通信部１１及び通信制御部１２に動作電源を与える補助電源部１４と、ＩＤ記憶部１５と、テーブルタップ２Ａのオン／オフ制御用の操作スイッチ部１６と、テーブルタップ２Ａの状態表示用の表示部１７とを備えている。
【００１８】
ここで、電力検出部１３は、電力線ＰＬからリモコン１Ａに電力供給が行われているか否かを検出し、電力線ＰＬからリモコン１Ａに電力供給が行われていない場合には、補助電源部１４に動作開始信号を出力するものであり、例えば、第１の電源プラグ１０と第１の通信部１１との間に流れる電流の電圧を検出する電圧検出回路や、該電圧検出回路により得られた電圧値が所定の閾値を越えているか否かを判断する比較回路等を用いることによって実現できる。また、この電力検出部１３は、動作開始信号を出力した後に、電力線ＰＬからリモコン１Ａに電力供給が行われた、つまりは電力供給が再開されたことを検出すると、動作停止信号を補助電源部１４に出力するように構成されている。
【００１９】
補助電源部１４は、例えば１次電池等のバッテリ（不図示）を備えており、電力検出部１３から動作開始信号を受け取った際には上記バッテリを用いて第１の通信部１１及び通信制御部１２に動作電源を与え、電力検出部１３から動作停止信号を受け取った際には第１の通信部１１及び通信制御部１２への動作電源の供給を中止する。また、この補助電源部１４は、電力線ＰＬからリモコン１Ａに電力供給が行われているか否かを検出するために、電力検出部１３には常に動作電源を与えるように構成されている。尚、補助電源部１４で用いられるバッテリとしては、１次電池に限らず、電力線ＰＬから電力供給を得ている際に充電可能な２次電池や大容量のコンデンサであってもよい。
【００２０】
ＩＤ記憶部１５は、例えばＲＡＭやフラッシュメモリ等の記憶装置であり、テーブルタップ２Ａを示すＩＤ番号や、リモコン１Ａを示すＩＤ番号等が記憶されている。操作スイッチ部１６は、スライドスイッチや、トグルスイッチ、プッシュスイッチ、シーソスイッチ等の手動操作可能なものが用いられており、操作スイッチ部１６のオン／オフを切り換えるための操作つまみ１６ａがリモコン１Ａの本体に露設されている。
【００２１】
表示部１７は、テーブルタップ２Ａから機器への電力供給のオン／オフを表示するためのものであり、例えば１つの緑色発光ダイオード（不図示）を有し、当該緑色発光ダイオードの点灯／消灯によってテーブルタップ２Ａから機器への電力供給のオン／オフを表示するように構成されている。尚、このような表示部１７としては、例えばテーブルタップ２Ａから機器への電力供給がオンとなっていることを表示する緑色発光ダイオードと、テーブルタップ２Ａから機器への電力供給がオフとなっていることを表示する赤色発光ダイオードとを備えるように構成してもよい。また尚、発光ダイオードの光色も上記の例に限らず、様々な光色を用いるようにしてもよいし、光源として発光ダイオードの代わりにネオンランプ等を用いるようにしてもよい。
【００２２】
第１の通信部１１は、ＰＬＣによりテーブルタップ２Ａと通信を行うためのものであり、商用の交流電流（一般には、５０Ｈｚ／６０Ｈｚの低周波電流）が流れる電力線ＰＬに、高周波電流からなる伝送信号を重畳させる送信機能や、電力線ＰＬに流れる電流からハイパスフィルター（不図示）等を用いて伝送信号を取り出す受信機能等を有している。また、この第１の通信部１１は、後述するテーブルタップ２Ａの第２の通信部２４と１対１対応で通信を行うように設定されており、例えば、伝送信号を送信する際には、ＩＤ記憶部１５に記憶されているテーブルタップ２Ａを示すＩＤ番号を伝送信号に付して送信し、伝送信号を受信する際には、ＩＤ記憶部１５に記憶されているリモコン１Ａを示すＩＤ番号が付された伝送信号のみを受信するように設定されている。
【００２３】
通信制御部１２は、テーブルタップ２Ａに伝送信号を送信するために第１の通信部１１を制御する機能と、表示部１７を制御する機能とを備えている。さらに詳しく説明すると、通信制御部１２は、操作スイッチ部１６がオンされると、テーブルタップ２Ａから機器への電力供給を開始させる機器オン用の伝送信号であるオン信号を第１の通信部１１から電力線ＰＬに送信させるとともに、表示部１７の緑色発光ダイオードを点灯してテーブルタップ２Ａから機器への電力供給がオンとなっていることを表示させるように構成されている。また、通信制御部１２は、操作スイッチ部１６がオフされると、テーブルタップ２Ａから機器への電力供給を停止させる機器オフ用の伝送信号であるオフ信号を第１の通信部１１から電力線ＰＬに送信させるとともに、表示部１７の緑色発光ダイオードを消灯してテーブルタップ２Ａから機器への電力供給がオフとなっていることを表示させるように構成されている。
【００２４】
加えて、通信制御部１２は、補助電源部１４により動作電源が与えられた際には、操作スイッチ部１６がオフされたときと同様に、オフ信号を第１の通信部１１から電力線ＰＬに送信させるとともに、表示部１７の緑色発光ダイオードを消灯してテーブルタップ２Ａから機器への電力供給がオフとなっていることを表示させるように構成されている。これにより、第１の通信部１１は、補助電源部１４により動作電源が与えられた際に、オフ信号を電力線ＰＬに送信する機能を有することになる。さらに、通信制御部１２は、補助電源部１４により動作電源が与えられている間は、操作スイッチ部１６による操作を受け付けないようになっている。
【００２５】
次に、テーブルタップ２Ａについて説明する。テーブルタップ２Ａは、図１に示すように、電力線ＰＬに設けられたコンセント装置３Ａ〜３Ｄに接続可能な第２の電源プラグ２０と、該第２の電源プラグ２０を介して電力線ＰＬに接続されるとともに、機器が接続される複数（本実施形態では６つ）のコンセント口２１と、第２の電源プラグ２０とコンセント口２１との間に設けられる開閉部２２と、該開閉部２２と並列に設けられる伝送信号用のバイパス部２３と、リモコン１Ａの第１の通信部１１から電力線ＰＬに送信された伝送信号を受信する第２の通信部２４と、第２の通信部２４で受信した前記伝送信号の内容に応じて開閉部２２を制御して電力線ＰＬからコンセント口２１に接続された機器への電力供給を制御し、第２の通信部２４がオン信号を受信すると、開閉部２２を閉じて機器への電力供給をオンし、第２の通信部２４がオフ信号を受信すると、開閉部２２を開いて機器への電力供給をオフする電力制御部２５と、ＩＤ記憶部２６とを備えている。
【００２６】
開閉部２２は、電力線ＰＬからコンセント口２１への電力供給をオン／オフするために、第２の電源プラグ２０とコンセント口２１との間に設けられたものであり、例えば、リレー（不図示）等が用いられる。
【００２７】
バイパス部２３は、開閉部２２により電力線ＰＬからコンセント口２１への電力供給がオフされた際でも、第２の電源プラグ２０とコンセント口２１との間に伝送信号用の経路を確保するために開閉部２２と並列に設けられたものであり、例えば、電力線ＰＬに流れる商用の交流電流をカットし、高周波電流からなる伝送信号のみを通過させるようなハイパスフィルター（不図示）等が用いられる。
【００２８】
第２の通信部２４は、ＰＬＣによりリモコン１Ａと通信を行うためのものであり、第１の通信部１１と同様の送信機能や、受信機能等を有している。また、この第２の通信部２４は、第１の通信部１１と１対１対応で通信を行うように設定されており、例えば、伝送信号を送信する際には、ＩＤ記憶部２６に記憶されているリモコン１Ａを示すＩＤ番号を伝送信号に付して送信し、伝送信号を受信する際には、ＩＤ記憶部２６に記憶されているテーブルタップ２Ａを示すＩＤ番号が付された伝送信号のみを受信するように設定されている。
【００２９】
電力制御部２５は、開閉部２２の開閉動作を制御するものであり、第２の通信部２４がオン信号を受信した際には、開閉部２２を閉じて電力線ＰＬからコンセント口２１に接続された機器への電力供給をオンし、第２の通信部２４がオフ信号を受信した際には、開閉部２２を開いて電力線ＰＬからコンセント口２１に接続された機器への電力供給をオフするように構成されている。
【００３０】
ＩＤ記憶部２６は、例えばＲＡＭやフラッシュメモリ等の記憶装置であり、上述したように、テーブルタップ２Ａを示すＩＤ番号や、リモコン１Ａを示すＩＤ番号等が記憶されている。
【００３１】
以下にコンセント制御システムの動作について説明する。尚、初期状態では、リモコン１Ａの操作スイッチ部１６がオフであり、テーブルタップ２Ａの開閉部２２が開いている（つまりは機器への電力供給が行われていない）ものとする。
【００３２】
上記の初期状態から、リモコン１Ａの操作スイッチ部１６をオンにすると、通信制御部１２は、オン信号を第１の通信部１１から電力線ＰＬに送信させるとともに、表示部１７の緑色発光ダイオードを点灯してテーブルタップ２Ａから機器への電力供給がオンとなっていることを表示させる。そして、テーブルタップ２Ａでは、第２の通信部２４がオン信号を受信し、これに伴って電力制御部２５が開閉部２２を閉じて電力線ＰＬからコンセント口２１に接続された機器への電力供給が開始される。
【００３３】
この後に、リモコン１Ａの操作スイッチ部１６をオフにすると、通信制御部１２は、オフ信号を第１の通信部１１から電力線ＰＬに送信させるとともに、表示部１７の緑色発光ダイオードを消灯してテーブルタップ２Ａから機器への電力供給がオフとなっていることを表示させる。そして、テーブルタップ２Ａでは、第２の通信部２４がオフ信号を受信し、これに伴って電力制御部２５が開閉部２２を開いて電力線ＰＬからコンセント口２１に接続された機器への電力供給が停止される。
【００３４】
このようなリモコン１Ａ及びテーブルタップ２Ａを有するコンセント制御システムによれば、リモコン１Ａの操作スイッチ部１６を手動操作することによって、テーブルタップ２Ａのコンセント口２１に接続された機器への電力供給のオン／オフを遠隔制御できるようになっている。
【００３５】
また、上述したようなリモコンとテーブルタップとの組を複数組用いることによって、テーブルタップを一括制御可能なコンセント制御システムを構成することができ、以下に、このようなコンセント制御システムについて、図１を参照して説明する。
【００３６】
このコンセント制御システムは、図１に示すように、リモコン（以下、「第１のリモコン」と称する）１Ａと、該リモコン１Ａに対応するテーブルタップ（以下、「第１のテーブルタップ」と称する）２Ａに加えて、第２及び第３のリモコン１Ｂ，１Ｃと、第２及び第３のリモコン１Ｂ，１Ｃとそれぞれ対応する第２及び第３のテーブルタップ２Ｂ，２Ｃとを備えている。また、第１のリモコン１Ａの第１の電源プラグ１０をコンセント装置３Ａに、第１のテーブルタップ２Ａの第２の電源プラグ２０をコンセント装置３Ｂにそれぞれ接続している。さらに、第２のリモコン１Ｂの第１の電源プラグ１０を第１のテーブルタップ２Ａのコンセント口２１に、第２のテーブルタップ２Ｂの第２の電源プラグ２０をコンセント装置３Ｃにそれぞれ接続している。加えて、第３のリモコン１Ｃの第１の電源プラグ１０を第１のテーブルタップ２Ａのコンセント口２１に、第３のテーブルタップ２Ｃの第２の電源プラグ２０をコンセント装置３Ｄにそれぞれ接続している。
【００３７】
ここで、第２及び第３のリモコン１Ｂ，１Ｃと第２及び第３のテーブルタップ２Ｂ，２Ｃは、それぞれ上述した第１のリモコン１及び第１のテーブルタップ２Ａと同様の構成を有するものであるが、各ＩＤ記憶部１５，２６に記憶されているＩＤ番号が異なっており、これにより、第１のリモコン１Ａと第１のテーブルタップ２Ａ間、第２のリモコン１Ｂと第２のテーブルタップ２Ｂ間、第３のリモコン１Ｃと第３のテーブルタップ２Ｃ間でのみ通信が行われるようになっている。
【００３８】
以下に、上記の３組のリモコンとテーブルタップを有するコンセント制御システムの動作について説明する。尚、初期状態では、各リモコン１Ａ〜１Ｃの操作スイッチ部１６がオフであり、各テーブルタップ２Ａ〜２Ｃの開閉部２２が開いている（つまりは機器への電力供給が行われていない）ものとする。
【００３９】
上記の初期状態から、第１のリモコン１Ａの操作スイッチ部１６をオンにすると、第１のリモコン１Ａから第１のテーブルタップ２Ａにオン信号が送信されて、第１のテーブルタップ２Ａのコンセント口２１に接続された機器への電力供給が開始される。
【００４０】
この状態では、第２のリモコン１Ｂの操作スイッチ部１６をオンにすると、第２のリモコン１Ｂから第２のテーブルタップ２Ｂにオン信号が送信されて、第２のテーブルタップ２Ｂのコンセント口２１に接続された機器への電力供給が開始される。また、第２のリモコン１Ｂの操作スイッチ部１６をオフにすると、第２のリモコン１Ｂから第２のテーブルタップ２Ｂにオフ信号が送信されて、第２のテーブルタップ２Ｂのコンセント口２１に接続された機器への電力供給が停止される。この動作は、第３のリモコン１Ｃ及び第３のテーブルタップ２Ｃにおいても同様である。
【００４１】
ここで、各リモコン１Ｂ，１Ｃの操作スイッチ部１６をオンした状態で、第１のリモコン１Ａの操作スイッチ部１６をオフすると、第１のテーブルタップ２Ａのコンセント口２１に接続された機器への電力供給が停止されるので、第１のテーブルタップ２Ａのコンセント口２１に接続されている各リモコン１Ｂ，１Ｃへの電力供給が停止される。
【００４２】
このようにして第２のリモコン１Ｂへの電力供給が停止されると、第２のリモコン１Ｂでは、電力検出部１３が電力線ＰＬからリモコン１Ｂに電力供給が行われていないことを検出して動作開始信号を補助電源部１４に出力する。そして、動作開始信号を受け取った補助電源部１４は、バッテリを用いて第１の通信部１１及び通信制御部１２に動作電源を与える。これにより、通信制御部１２は、オフ信号を第１の通信部１１から電力線ＰＬに送信させるとともに、表示部１７の緑色発光ダイオードを消灯してテーブルタップ２Ｂから機器への電力供給がオフとなっていることを表示させる。
【００４３】
このようにして第１の通信部１１から出力されたオフ信号は、図１に示すように、第２のリモコン１Ｂの第１の電源プラグ１０、第１のテーブルタップ２Ａのコンセント口２１、バイパス部２３、第１のテーブルタップ２Ａの第２の電源プラグ２０、コンセント装置３Ｂ、電力線ＰＬ、コンセント装置３Ｃを経由して第２のテーブルタップ２Ｂに送信され、これにより第２のテーブルタップ２Ｂにおいても、コンセント口２１に接続された機器への電力供給が停止される。
【００４４】
このとき、第２のリモコン１Ｂの操作スイッチ部１６をオン／オフしたとしても、通信制御部１２は、補助電源部１４により動作電源が与えられている間は、操作スイッチ部１６による操作を受け付けないようになっているため、第２のテーブルタップ２Ｂから機器への電力供給のオン／オフは行えないようになっている。
【００４５】
また、第３のリモコン１Ｃにおいても同様の動作が行われて、第３のテーブルタップ２Ｃのコンセント口２１に接続された機器への電力供給が停止される。
【００４６】
この後に、第１のリモコン１Ａの操作スイッチ部１６をオンにすると、第１のテーブルタップ２Ａのコンセント口２１に接続された機器への電力供給が再開され、これに伴って各リモコン１Ｂ，１Ｃへの電力供給も再開される。そして、各リモコン１Ｂ，１Ｃでは、電力検出部１３が電力線ＰＬからの電力供給が得られたことを検出して補助電源部１４に動作停止信号を出力し、これにより補助電源部１４から第１の通信部１１及び通信制御部１２への動作電源の供給が停止されるとともに、通信制御部１２が操作スイッチ部１６の操作を再び受け付けるようになる。
【００４７】
ここで、第１のリモコン１Ａの操作スイッチ部１６をオフした後に、各リモコン１Ｂ，１Ｃの操作スイッチ部１６を操作していなければ、各々の操作スイッチ部１６はオンとなったままであるから、各リモコン１Ｂ，１Ｃからはオン信号が送信され、これにより各テーブルタップ２Ｂ，２Ｃのコンセント口２１に接続された機器への電力供給も再開される。
【００４８】
以上述べたようなコンセント制御システムでは、第１のリモコン１Ａの操作スイッチ部１６をオン／オフすることによって、各テーブルタップ２Ａ〜２Ｃから当該テーブルタップ２Ａ〜２Ｃのコンセント口２１に接続された機器への電力供給を一括してオン／オフできるようになっている。また、第１のリモコン１Ａの操作スイッチ部１６をオンした状態では、各リモコン１Ｂ，１Ｃの操作スイッチ部１６をオン／オフすることによって、各テーブルタップ２Ｂ，２Ｃのオン／オフを行えるようになっている。
【００４９】
したがって、本実施形態のコンセント制御システムによれば、リモコン１Ａ〜１Ｃの第１の電源プラグ１０を電力線ＰＬに設けられたコンセント装置３Ａ〜３Ｄ、又はテーブルタップ２Ａ〜２Ｃのコンセント口２１に接続するとともに、テーブルタップ２Ａ〜２Ｃの第２の電源プラグ２０をコンセント装置３Ａ〜３Ｄに接続するだけでコンセント制御システムの設置を行うことができるので、アドレス設定等の煩雑な作業が必要無くなり、これにより専門的な知識を有していない一般の使用者であっても、コンセント制御システムを簡単に設置することができるという効果を奏する。
【００５０】
しかも、テーブルタップ２Ａ〜２Ｃは、第２の通信部２４で受信した伝送信号の内容によって、電力線ＰＬからそれぞれ対応するリモコン１Ａ〜１Ｃへの電力供給が行われていないことを検知した際には、各々のコンセント口２１に接続された機器への電力供給を停止する電力制御部２５を備えるので、リモコン１Ａの第１の電源プラグ１０をコンセント装置３Ａに接続し、リモコン１Ａと通信を行うテーブルタップ２Ａの第２の電源プラグ２０をコンセント装置３Ｂに接続し、テーブルタップ２Ａのコンセント口２１に別のリモコン１Ｂ，１Ｃの第１の電源プラグ１０を接続し、当該別のリモコン１Ｂ，１Ｃとそれぞれ通信を行うテーブルタップ２Ｂ，２Ｃの第２の電源プラグ２０をコンセント装置３Ａ〜３Ｄに接続すれば、リモコン１Ａによって、テーブルタップ２Ａ〜２Ｃを一括してオン／オフすることが可能になる。これにより本実施形態のコンセント制御システムによれば、アドレス設定等の煩雑な作業を行わなくても、リモコン及びテーブルタップの電源プラグを接続するだけで、１対Ｎ（Ｎ＝２，３，４，…）対応のコンセント制御システムを簡単に設置できるという効果を奏する。
【００５１】
（実施形態２）
本実施形態のコンセント制御システムは、上記実施形態１と同様にテーブルタップ５Ａとリモコン４Ａとを有するものであるが、テーブルタップ５Ａ及びリモコン４Ａの構成が上記実施形態１とは異なっている。
【００５２】
まず、リモコン４Ａについて説明する。リモコン４Ａは、図２に示すように、電力線ＰＬに設けられたコンセント装置３Ａ〜３Ｄに接続される第１の電源プラグ４０と、該第１の電源プラグ４０を介して電力線ＰＬにＰＬＣ用の伝送信号を送信する第１の通信部４１と、第１の通信部４１から電力線ＰＬに伝送信号を一定の周期で送信させるように第１の通信部４１を制御する通信制御部４２と、ＩＤ記憶部４３と、テーブルタップ５Ａのオン／オフ制御用の操作スイッチ部４４と、テーブルタップ５Ａの状態表示用の表示部４５と、第１の通信部４１から電力線ＰＬに送信する伝送信号の周期を設定するための周期設定部４６とを備えている。
【００５３】
ここで、ＩＤ記憶部４３は、例えばＲＡＭやフラッシュメモリ等の記憶装置であり、テーブルタップ５Ａを示すＩＤ番号や、リモコン４Ａを示すＩＤ番号等が記憶されている。操作スイッチ部４４は、上記の操作スイッチ部１６と同様にスライドスイッチ等の手動操作可能なものが用いられており、操作スイッチ部４４のオン／オフを切り換えるための操作つまみ４４ａがリモコン４Ａの本体に露設されている。表示部４５は、上記の表示部１７と同様に緑色発光ダイオードを１つ有し、該緑色発光ダイオードの点灯／消灯によってテーブルタップ５Ａから機器への電力供給がオンとなっているか否かを表示するように構成されている。周期設定部４６は、第１の通信部４１から電力線ＰＬに送信する伝送信号の周期を設定するためのものであり、周期入力用の操作キー（不図示）等を備えている。
【００５４】
第１の通信部４１は、ＰＬＣによりテーブルタップ５Ａと通信を行うためのものであり、上記の第１の通信部１１と同様の送信機能や、受信機能等を有している。また、この第１の通信部４１は、後述するテーブルタップ５Ａの第２の通信部５３と１対１対応で通信を行うように設定されており、例えば、伝送信号を送信する際には、ＩＤ記憶部４３に記憶されているテーブルタップ５Ａを示すＩＤ番号を伝送信号に付して送信し、伝送信号を受信する際には、ＩＤ記憶部４３に記憶されているリモコン４Ａを示すＩＤ番号が付された伝送信号のみを受信するように設定されている。
【００５５】
通信制御部４２は、テーブルタップ５Ａに伝送信号を送信するために第１の通信部４１を制御する機能と、表示部４３を制御する機能とを備えている。そして、通信制御部４２は、操作スイッチ部４４がオンされると、テーブルタップ５Ａから機器への電力供給を開始させるために、第１の通信部４１から電力線ＰＬに伝送信号を上記周期設定部４６で設定された一定の周期で送信させる（言い換えれば、第１の通信部４１から第２の通信部５３にポーリングを行わせる）とともに、表示部４５の緑色発光ダイオードを点灯させてテーブルタップ５Ａから機器への電力供給がオンとなっていることを表示するように構成されている。ここで、上記伝送信号には、周期設定部４６で設定された周期情報が付されている。また、通信制御部４２は、操作スイッチ部４４がオフされると、第１の通信部４１から電力線ＰＬへの伝送信号の送信を停止させるとともに、表示部４５の緑色発光ダイオードを消灯させてテーブルタップ５Ａから機器への電力供給がオフとなっていることを表示するように構成されている。
【００５６】
次に、テーブルタップ５Ａについて説明する。テーブルタップ５Ａは、図２に示すように、電力線ＰＬに設けられたコンセント装置３Ａ〜３Ｄに接続される第２の電源プラグ５０と、該第２の電源プラグ５０を介して電力線ＰＬに接続されるとともに、機器が接続される複数（本実施形態では６つ）のコンセント口５１と、第２の電源プラグ５０とコンセント口５１との間に設けられる開閉部５２と、リモコン４Ａの第１の通信部４１から電力線ＰＬに送信された伝送信号を受信する前述の第２の通信部５３と、第２の通信部５３が伝送信号を受信した後に、周期設定部４６で設定された周期を越える時間を経ても次の伝送信号を受信しなかった際に、開閉部５２を開いて機器への電力供給をオフする電力制御部５４と、ＩＤ記憶部５５と、タイマー部５６とを備えている。
【００５７】
開閉部５２は、電力線ＰＬからコンセント口５１への電力供給をオン／オフするために、第２の電源プラグ５０とコンセント口５１との間に設けられたものであり、例えば、リレー（不図示）等が用いられる。ＩＤ記憶部５５は、例えばＲＡＭやフラッシュメモリ等の記憶装置であり、テーブルタップ５Ａを示すＩＤ番号や、リモコン４Ａを示すＩＤ番号等が記憶されている。
【００５８】
タイマー部５６は、伝送信号に付された周期情報に基づいてカウント時間を設定（例えば、周期設定部４６で設定された周期を越える時間に設定）し、電力制御部５４のセット信号が入力されることでカウントを開始し、カウント時間経過前に再び電力制御部５４のセット信号が入力されると、カウント時間を初期値に戻して再びカウントを開始し、カウント時間経過前に再び電力制御部５４のセット信号が入力されなければ、カウント時間経過後に電力制御部５４へ経過信号を出力するように構成されている。
【００５９】
第２の通信部５３は、ＰＬＣによりリモコン４Ａと通信を行うためのものであり、上記の第２の通信部２４と同様の送信機能や、受信機能等を有している。また、この第２の通信部５３は、第１の通信部４１と１対１対応で通信を行うように設定されており、例えば、伝送信号を送信する際には、ＩＤ記憶部５５に記憶されているリモコン４Ａを示すＩＤ番号を伝送信号に付して送信し、伝送信号を受信する際には、ＩＤ記憶部５５に記憶されているテーブルタップ５Ａを示すＩＤ番号が付された伝送信号のみを受信するように設定されている。
【００６０】
電力制御部５４は、第２の通信部５３で受信した伝送信号の内容に応じて開閉部５２の開閉動作を制御するものであり、第２の通信部５３が伝送信号を受信したことを検知するとタイマー部５６にセット信号を出力する。そして、タイマー部５６から経過信号を受け取る前に、再び第２の通信部５３が伝送信号を受信したことを検知すると、タイマー部５６に再度セット信号を出力するとともに開閉部５２を閉じて電力線ＰＬからコンセント口５１への通電をオンし、これ以後第２の通信部５３が伝送信号を受信したことを検知する毎にタイマー部５６にセット信号を出力するように構成されている。一方で、電力制御部５４は、タイマー部５６の経過信号を受け取った際には、開閉部５２を開いて電力線ＰＬからコンセント口５１への通電をオフするように構成されている。尚、上記の例では、第２の通信部５３が伝送信号を受け取った後に、タイマー部５６から経過信号を受け取る前に、再び伝送信号を受信すると、開閉部５２を開いて電力供給を開始するようにしているが、２回目の伝送信号を待たずに、第２の通信部５３が１回目の伝送信号を受け取った時点で、開閉部５２を開いて電力供給を開始するようにしてもよい。
【００６１】
したがって、第１の通信部４１から電力線ＰＬに伝送信号が周期設定部４６で設定された周期で送信されている間は、第２の通信部５３が伝送信号を受信する毎に、電力制御部５４からタイマー部５６にセット信号が出力されることによって、タイマー部５６からは経過信号が出力されず、これにより開閉部５２が閉じたままになって電力線ＰＬからコンセント口５１に接続された機器への電力供給が継続される。一方、第１の通信部４１から電力線ＰＬに伝送信号が送信されなくなると、電力制御部５４からタイマー部５６にセット信号が出力されなくなる（電力制御部５４によるタイマー部５６のリセットが行われなくなる）。そのため、タイマー部５６から電力制御部５４に経過信号が出力され、電力制御部５４が開閉部５２を開いて電力線ＰＬからコンセント口５１に接続された機器への電力供給が停止される。つまり、電力制御部５４は、第２の通信部５３で受信した伝送信号の内容（伝送信号の有無）によって、第２の通信部５３が伝送信号を受信した後に、周期を越える時間を経ても次の伝送信号を受信しなかったと判断した際には、電力線ＰＬからリモコン４Ａへの電力供給が行われていないとみなし、開閉部５２を開いて電力線ＰＬからコンセント口５１に接続された機器への電力供給を停止するのである。
【００６２】
以下にコンセント制御システムの動作について説明する。尚、初期状態では、リモコン４Ａの操作スイッチ部４４がオフであり、テーブルタップ５Ａの開閉部５２が開いている（つまりは機器への電力供給が行われていない）ものとする。
【００６３】
上記の初期状態から、リモコン４Ａの操作スイッチ部４４をオンにすると、通信制御部４２は、第１の通信部４１から電力線ＰＬに伝送信号を周期設定部４６で設定された周期で送信させるとともに、表示部４５の緑色発光ダイオードを点灯させる。そして、テーブルタップ５Ａでは、伝送信号を第２の通信部５３により受信し、これに伴って電力制御部５４がタイマー部５６をセットし、タイマー部５６から経過信号を受け取る前に、再度伝送信号を第２の通信部５３が受信したことを検知すると、タイマー部５６をリセットするとともに開閉部５２を閉じ、これにより電力線ＰＬからコンセント口５１に接続された機器への電力供給が開始される。
【００６４】
この後に、リモコン４Ａの操作スイッチ部４４をオフにすると、通信制御部４２は、第１の通信部４１に伝送信号の送信を停止させるとともに、表示部４５の緑色発光ダイオードを消灯させる。このように第１の通信部４１から電力線ＰＬに伝送信号が出力されなくなると、テーブルタップ５Ａでは、電力制御部５４がタイマー部５６にセット信号を出力しなくなるために、タイマー部５６から電力制御部５４に経過信号が出力され、これにより電力制御部５４が開閉部５２を開き、電力線ＰＬからコンセント口５１に接続された機器への電力供給が停止される。
【００６５】
このようなリモコン４Ａ及びテーブルタップ５Ａを有するコンセント制御システムによれば、リモコン４Ａの操作スイッチ部４４を手動操作することによって、テーブルタップ５Ａのコンセント口５１に接続された機器への電力供給のオン／オフを遠隔制御できるようになっている。
【００６６】
また、上述したようなリモコンとテーブルタップとの組を複数組用いることによって、テーブルタップを一括制御可能なコンセント制御システムを構成することができ、以下に、このようなコンセント制御システムについて、図２を参照して説明する。
【００６７】
このコンセント制御システムは、図２に示すように、リモコン（以下、「第１のリモコン」と称する）４Ａと、該リモコン４Ａに対応するテーブルタップ（以下、「第１のテーブルタップ」と称する）５Ａに加えて、第２及び第３のリモコン４Ｂ，４Ｃと、第２及び第３のリモコン４Ｂ，４Ｃとそれぞれ対応する第２及び第３のテーブルタップ５Ｂ，５Ｃとを備えている。また、第１のリモコン４Ａの第１の電源プラグ４０をコンセント装置３Ａに、第１のテーブルタップ５Ａの第２の電源プラグ５０をコンセント装置３Ｂにそれぞれ接続している。加えて、第２のリモコン４Ｂの第１の電源プラグ４０を第１のテーブルタップ５Ａのコンセント口５１に、第２のテーブルタップ５Ｂの第２の電源プラグ５０をコンセント装置３Ｃにそれぞれ接続している。さらに、第３のリモコン４Ｃの第１の電源プラグ４０を第１のテーブルタップ５Ａのコンセント口５１に、第３のテーブルタップ５Ｃの第２の電源プラグ５０をコンセント装置３Ｄにそれぞれ接続している。
【００６８】
ここで第２及び第３のリモコン４Ｂ，４Ｃと第２及び第３のテーブルタップ５Ｂ，５Ｃは、それぞれ上述した第１のリモコン４Ａ及び第１のテーブルタップ５Ａと同様の構成を有するものであるが、各ＩＤ記憶部４３，５５に記憶されているＩＤ番号が異なっており、これにより、第１のリモコン４Ａと第１のテーブルタップ５Ａ間、第２のリモコン４Ｂと第２のテーブルタップ５Ｂ間、第３のリモコン４Ｃと第３のテーブルタップ５Ｃ間でのみ通信が行われるようになっている。また、このコンセント制御システムでは、各リモコン４Ａ〜４Ｃの各々の第１の通信部４１から伝送路である電力線ＰＬに一定周期で伝送信号が送信されるため、このような伝送信号が伝送路である電力線ＰＬで輻輳しないように、周期設定部４６によって各々の伝送信号の周期を設定している。
【００６９】
以下に、上記の３組のリモコンとテーブルタップを有するコンセント制御システムの動作について説明する。尚、初期状態では、各リモコン４Ａ〜４Ｃの操作スイッチ部４４がオフであり、各テーブルタップ５Ａ〜５Ｃの開閉部５２が開いている（つまりは機器への電力供給が行われていない）ものとする。
【００７０】
上記の初期状態から、第１のリモコン４Ａの操作スイッチ部４４をオンにすると、第１のリモコン４Ａから第１のテーブルタップ５Ａに一定周期で伝送信号が送信されて、第１のテーブルタップ５Ａのコンセント口５１に接続された機器への電力供給が開始される。
【００７１】
この状態では、第２のリモコン４Ｂの操作スイッチ部４４をオンにすると、第２のリモコン４Ｂから第２のテーブルタップ５Ｂに一定周期で伝送信号が送信されて、第２のテーブルタップ５Ｂのコンセント口５１に接続された機器への電力供給が開始される。また、第２のリモコン４Ｂの操作スイッチ部４４をオフにすると、第２のリモコン４Ｂから第２のテーブルタップ５Ｂに伝送信号が送信されなくなって、第２のテーブルタップ５Ｂのコンセント口５１に接続された機器への電力供給が停止される。この動作は、第３のリモコン４Ｃ及び第３のテーブルタップ５Ｃにおいても同様である。
【００７２】
ここで、各リモコン４Ｂ，４Ｃの操作スイッチ部４４をオンした状態で、第１のリモコン４Ａの操作スイッチ部４４をオフすると、第１のテーブルタップ５Ａのコンセント口５１に接続された機器への電力供給が停止されるので、第１のテーブルタップ５Ａのコンセント口５１に接続されている各リモコン４Ｂ，４Ｃへの電力供給が停止される。
【００７３】
このようにして第２のリモコン４Ｂへの電力供給が停止されると、第２のリモコン４Ｂは、動作電源が得られなくなるために動作を停止し、これにより表示部４５の緑色発光ダイオードが消灯するとともに、第２のテーブルタップ５Ｂへの伝送信号の送信を行えなくなり、その結果、第２のテーブルタップ５Ｂのコンセント口５１に接続された機器への電力供給が停止される。
【００７４】
このとき、第２のリモコン４Ｂの操作スイッチ部４４をオン／オフしたとしても、通信制御部４２には動作電源が与えられていないため、第２のテーブルタップ５Ｂから機器への電力供給のオン／オフは行えないようになっている。
【００７５】
また、第３のリモコン４Ｃにおいても同様の動作が行われて、第３のテーブルタップ５Ｃのコンセント口５１に接続された機器への電力供給が停止される。
【００７６】
この後に、第１のリモコン４Ａの操作スイッチ部４４をオンにすると、第１のテーブルタップ５Ａのコンセント口５１に接続された機器への電力供給が再開され、これに伴って各リモコン４Ｂ，４Ｃへの電力供給も再開される。
【００７７】
ここで、第１のリモコン４Ａの操作スイッチ部４４をオフした後に、各リモコン４Ｂ，４Ｃの操作スイッチ部４４を操作していなければ、各々の操作スイッチ部４４はオン位置に位置したままであるから、各リモコン４Ｂ，４Ｃから各テーブルタップ５Ｂ，５Ｃに伝送信号が一定周期で送信され、これにより各テーブルタップ５Ｂ，５Ｃのコンセント口５１に接続された機器への電力供給が再開される。
【００７８】
以上述べたようなコンセント制御システムでは、第１のリモコン４Ａの操作スイッチ部４４をオン／オフすることによって、各テーブルタップ５Ａ〜５Ｃから当該テーブルタップ５Ａ〜５Ｃに接続された機器への電力供給を一括してオン／オフできるようになっている。また、第１のリモコン４Ａの操作スイッチ部４４をオンした状態では、各リモコン４Ｂ，４Ｃの操作スイッチ部４４をオン／オフすることによって、各テーブルタップ５Ｂ，５Ｃのオン／オフを行えるようになっている。
【００７９】
したがって、本実施形態のコンセント制御システムによれば、上記実施形態１と同様の効果を奏することができる。
【００８０】
尚、本実施形態では、リモコン４Ａに操作スイッチ部４４を設けるようにしているが、このような操作スイッチ部４４は必ずしも必要ではなく、例えば常に通信制御部４２により第１の通信部４１から伝送信号を電力線ＰＬに周期設定部４６で設定された周期で送信させるとともに、表示部４５の緑色発光ダイオードを点灯させるように構成しておけば、第１の電源プラグ４０のコンセント装置３Ａ〜３Ｄへの挿抜や、第１の電源プラグ４０とコンセント装置３Ａ〜３Ｄとの間に介在させたスイッチ装置のオン／オフ等のように、電力線ＰＬからリモコン４Ａへの電力供給をオン／オフすることによって、テーブルタップ５Ａのコンセント口５１に接続された機器への電力供給のオン／オフを制御することが可能となる。
【００８１】
ところで、上記の例では、周期設定部４６は、使用者が手動によって周期を設定するものであったが、電力線ＰＬを介して電気的に接続された別のリモコンの数を検出し、検出した別のリモコンの数に基づいて、各リモコンの伝送信号が伝送路である電力線ＰＬで輻輳しないように、伝送信号のポーリング周期を自動選択するようにしてもよい。この場合、各リモコンの伝送信号の周期が自動的に最適な値となるので、使用者が好適な伝送信号の周期を計算して、各リモコンの周期設定部４６により周期を設定するという煩雑な設定作業を行う必要がなくなり、これによりコンセント制御システムの使い勝手を向上できる。
【００８２】
ここで、別のリモコンの数を検出する方法としては、例えば、通信路である電力線ＰＬ上に見えた伝送信号（通信パケット）によって、他のテーブルタップの存在を検出し、この検出結果に基づいてテーブルタップの数をカウントすることで、別のリモコンの数を検出する方法が挙げられる。この他、リモコン４ＡのＩＤ記憶部４３に別のリモコンを示すＩＤ番号を記憶させておき、リモコン４Ａから、前記別のリモコンを示すＩＤ番号に対して順次ポーリングを行い、このポーリングに対して返信があった数を、電力線ＰＬを介して電気的に接続された別のリモコンの数として検出する方法等がある。また、別のリモコンを示すＩＤ番号の代わりに、別のテーブルタップを示すＩＤ番号をリモコン４ＡのＩＤ記憶部４３に記憶させておき、リモコン４Ａから、前記別のテーブルタップを示すＩＤ番号に対して順次ポーリングを行い、このポーリングに対して返信があった数を、電力線ＰＬを介して電気的に接続された別のリモコンの数として検出するようにしてもよい。
【００８３】
或いは、周期設定部４６としては、別のリモコンの数を検出する代わりに、電力線ＰＬに流れている伝送信号の通信トラフィック量を検出し、このようにして得られた通信トラフィック量に基づいて、各リモコンの伝送信号が伝送路である電力線ＰＬで衝突しないように、伝送信号の周期を自動選択するようなものであってもよい。
【００８４】
一方、エミット（ＥＭＩＴ（Embedded Micro Internetworking Technology））と称する機器組み込み型ネットワーク技術（機器に簡単にミドルウェアを組み込んでネットワークに接続できる機能を備えるネットワーク技術、以降、ＥＭＩＴ技術と称する。）を用いることで、携帯電話、ＰＣ（Personal Computer）、ＰＤＡ（Personal  Digital Assistant）、ＰＨＳ（Personal Handy phone System）等の外部端末から様々な設備機器（照明装置、空調装置、動力装置、センサ、電気錠、ウェブカメラ等、以降、ＥＭＩＴ端末と称する。）にアクセスして、ＥＭＩＴ端末を遠隔監視・制御することができるシステムがある。
【００８５】
尚、ＥＭＩＴ端末は、マイコン搭載の組み込み機器であり、機器組み込み型のネット接続用ミドルウェアでありＥＭＩＴ技術を実現するＥＭＩＴソフトウェアが搭載されている。
【００８６】
上述のＥＭＩＴ技術を応用したシステム（以降、ＥＭＩＴシステムと称する。）としては、外部端末がインターネット上に設けられたセンタサーバ経由でＥＭＩＴ端末を遠隔監視・制御する構成のものや、センタサーバを介することなく、例えばＥＭＩＴソフトウェアが搭載された外部端末から、直接各ＥＭＩＴ端末にアクセスしてＥＭＩＴ端末を遠隔監視・制御する構成のものを挙げることができる。
【００８７】
そしてＥＭＩＴシステムによって、例えば、建物（戸建住宅、マンション、ビル、工場用等）内に上述のＥＭＩＴ端末を分散配置させて、外部端末からＥＭＩＴ端末の状態を遠隔から監視することで、建物全体のエネルギー管理や、建物内のガス、水道、電気の遠隔検針を行うことも可能となる。
【００８８】
そこで上述の本発明の実施形態１，２に係るコンセント制御システムを集合住宅、ビル等のコンセント制御に採用する場合、建物が上述のＥＭＩＴシステムを構成するものであっても勿論良い。
【００８９】
尚、実施形態１，２では、第１のテーブルタップのコンセント口に、第２及び第３のリモコンを接続しているが、さらの多くのリモコンを接続してもよく、例えば第２のテーブルタップのコンセントに複数のリモコンを接続すれば、第２のリモコンによって一括制御されるテーブルタップ群を構成することができ、このようにして制御される階層を増やしていくことによって、さらに多種多様の制御が行えるコンセント制御システムを構築することができる。
【００９０】
また尚、実施形態１，２では、第１のリモコンと第１のテーブルタップの各電源プラグを、それぞれ異なるコンセント装置に接続しているが、同じコンセント装置に接続するようにしても構わない。
【図面の簡単な説明】
【００９１】
【図１】本発明の実施形態１のコンセント制御システムの説明図である。
【図２】本発明の実施形態２のコンセント制御システムの説明図である。
【符号の説明】
【００９２】
１Ａ  リモコン
１０  第１の電源プラグ
１１  第１の通信部
２Ａ  テーブルタップ
２０  第２の電源プラグ
２１  コンセント口
２４  第２の通信部
２５  電力制御部
ＰＬ  電力線
３Ａ，３Ｂ  コンセント装置
【図１】
0004696859.tif 000002
【図２】
0004696859.tif 000003